(57)【要約】【課題】一度休止させた冷凍装置を遠隔操作によって再起動させることができるとともに、休止中においても庫内温度を認識・記録できる技術を提案する。【解決手段】エンジン駆動の冷凍装置１０の運転を制御する運転制御部２１と、遠隔監視センター４の遠隔監視装置５との通信を行う遠隔制御部２２と、を具備する冷凍コンテナの制御装置２であって、前記運転制御部２１は、冷凍システム系の異常時に、冷凍装置の運転を休止させる緊急停止手段５３を具備し、前記遠隔制御部２２は、休止中の冷凍装置の運転を再開させる再運転手段（応急運転スイッチ操作手段２２ｃ）と、冷凍装置の休止中の庫内温度の認識手段（第二温度センサ６９）と、冷凍装置の休止中の庫内温度ログデータの記録手段（データ記録手段６２）とを具備する構成とする。【選択図】図１
2005172396.tif 000002
【特許請求の範囲】
【請求項１】
エンジン駆動の冷凍装置の運転を制御する運転制御部と、
遠隔監視センターの遠隔監視装置との通信を行う遠隔制御部と、
を具備する冷凍コンテナの制御装置であって、
前記運転制御部は、冷凍システム系の異常時に、冷凍装置の運転を休止させる緊急停止手段を具備し、
前記遠隔制御部は、休止中の冷凍装置の運転を再開させる再運転手段と、
冷凍装置の休止中の庫内温度の認識手段と、
冷凍装置の休止中の庫内温度ログデータの記録手段と、
を具備する、冷凍コンテナの制御装置。
【請求項２】
前記冷凍コンテナの制御装置は、
再運転をする場合の運転条件の成否を判断する再運転判断手段を具備し、
該再運転判断手段により、
冷凍システム系の異常を認識した場合でも、
所定の庫内貨物情報が設定されているときは、
運転を継続するように制御する、
ことを特徴とする請求項１に記載の冷凍コンテナの制御装置。
【請求項３】
前記冷凍コンテナの制御装置は、
運転を休止する場合の休止条件の成否を判断する休止判断手段を具備し、
該休止判断手段により、
冷凍システム系の異常を認識した場合でも、
当該異常が、当該異常発生時点までに発生した異常と同一のものであるときは、
運転を継続するように制御する、
ことを特徴とする請求項１又は請求項２に記載の冷凍コンテナの制御装置。
【発明の詳細な説明】
【技術分野】
【０００１】
本発明は、遠隔通信機能を具備する冷凍コンテナに関し、より詳しくは、異常発生時に一度休止させた冷凍装置を、遠隔操作によって再起動させるとともに、冷凍装置が休止中であっても庫内温度を監視するための技術に関する。
【背景技術】
【０００２】
従来、貨物車両等により輸送される冷凍コンテナにおいては、該冷凍コンテナに搭載されるエンジン駆動の冷凍装置により、庫内温度の管理を行うようにしている（例えば、特許文献１参照。）。
また、図９に示すごとく、遠隔監視センター９０に設置される遠隔監視装置と、貨物車両９１等に搭載される冷凍コンテナの制御装置との間で公衆電話網９２を介して通信し、庫内温度の監視や、該庫内温度及び冷凍装置の運転状況のログデータ管理、位置情報の把握等を行うシステム、即ち、遠隔監視システムについても公知となっている（例えば、特許文献２参照。）。
【０００３】
前記ログデータは、輸送中の品質保証に関連するものであり、特に温度管理条件の厳しい貨物（商材）においては重要なものとなる。
そして、この輸送中の品質保証に関し、冷凍コンテナ内の商材は、冷凍食品や野菜・魚介類等の生鮮食品といったように食品に関連するもののほか、近年では、光ファイバーや薬品等、いわゆる工業関連製品に関連するものもある。特に後者においては、品質が低下した場合の補償額は巨額になり、千万円〜億円単位に上るものまで存在する。
【０００４】
また、前記制御装置に関し、遠隔操作により駆動電源をＯＦＦにした後の再運転を可能とすべく、主電源回路とは別の待機電源回路を備えた構成についても公知となっている（例えば、特許文献３参照。）。
この構成は、図１０の（ａ）に示すごとく、主電源スイッチ９５を介して商用電力系統９６に接続される電源経路９７を分岐し、分岐経路９７ａ・９７ｂをそれぞれ主電源回路９８ａと待機電源回路９８ｂに接続し、これら回路９８ａ・９８ｂより制御装置９９に給電する形態である。この形態は、特に、電化製品等への適用を想定しており、主電源スイッチ９５は、常時接続されるとともに、待機電源回路９８ｂは、待機中の時計機能等のための電源や、再起動する際の起動電源を確保する役割を担うものである。
他方、冷凍コンテナの冷凍装置の電源系統の形態については、図１０の（ｂ）に示すごとく、一般的に、制御装置１１１に緊急停止手段１１１ａが設けられており、電子膨張弁１１２、流量制御弁１１３、圧力センサ１１４等の冷凍システム系に異常が発生した場合には、冷凍装置の重大な故障を防止する観点から、制御装置１１１は、即座にエンジン１１５を停止させて発電機１１６からの給電を遮断し、冷凍装置の冷凍サイクルを休止させるようにしている。尚、図１０の（ｂ）において、１１７は遠隔制御部である。
【０００５】
【特許文献１】特開２００３−２６９８３５号公報
【特許文献２】特開２００３−０３５４７９号公報
【特許文献３】特開平１１−２７２３７１号公報
【発明の開示】
【発明が解決しようとする課題】
【０００６】
上述したごとく、冷凍装置の故障を防止する観点からは、図１０の（ｂ）に示すごとく、緊急停止手段１１１ａにより冷凍装置を休止させることは適切な措置であるといえる。
しかし、品質保証に関する補償額を考慮すると、冷凍装置が故障する恐れがあったとしても、一度休止させた冷凍装置を再起動させて冷凍サイクルを再開し、庫内温度を許容範囲内に収める方が適切な措置となる場合がある。この措置は、特に、前記補償額が冷凍装置の修理コストよりも上回る場合や、コンテナターミナルに短時間で到着でき、該コンテナターミナルにてメンテナンスが行える場合においては、適切な措置であるといえる。
【０００７】
そして、この冷凍装置の再起動について、図１０の（ｂ）に示す従来構成では、実現できないものである。これは、エンジン１１５を停止させて冷凍装置を休止させると、遠隔制御部１１７への給電が確保できなくなり、エンジン１１５を再起動するための電源が確保できないからである。
【０００８】
他方、再起動させない場合であっても、冷凍装置が休止中の庫内温度のログデータを記憶できることが望ましいといえる。冷凍装置が休止した場合であっても、庫内温度が所定の温度に保たれていた場合には、品質を保証することができるからである。
【０００９】
そこで、本発明は以上の問題に鑑み、一度休止させた冷凍装置を遠隔操作によって再起動させることができるとともに、休止中においても庫内温度を認識・記録できる技術を提案するものである。
【課題を解決するための手段】
【００１０】
本発明の解決しようとする課題は以上の如くであり、次にこの課題を解決するための手段を説明する。
【００１１】
即ち、請求項１に記載のごとく、
エンジン駆動の冷凍装置の運転を制御する運転制御部と、
遠隔監視センターの遠隔監視装置との通信を行う遠隔制御部と、
を具備する冷凍コンテナの制御装置であって、
前記運転制御部は、冷凍システム系の異常時に、冷凍装置の運転を休止させる緊急停止手段を具備し、
前記遠隔制御部は、休止中の冷凍装置の運転を再開させる再運転手段と、
冷凍装置の休止中の庫内温度の認識手段と、
冷凍装置の休止中の庫内温度ログデータの記録手段と、
を具備することである。
【００１２】
また、請求項２に記載のごとく、
前記冷凍コンテナの制御装置は、
再運転をする場合の運転条件の成否を判断する再運転判断手段を具備し、
該再運転判断手段により、
冷凍システム系の異常を認識した場合でも、
所定の庫内貨物情報が設定されているときは、
運転を継続するように制御することである。
【００１３】
また、請求項３に記載のごとく、
前記冷凍コンテナの制御装置は、
運転を休止する場合の休止条件の成否を判断する休止判断手段を具備し、
該休止判断手段により、
冷凍システム系の異常を認識した場合でも、
当該異常が、当該異常発生時点までに発生した異常と同一のものであるときは、
運転を継続するように制御することである。
【発明の効果】
【００１４】
本発明の効果として、以下に示すような効果を奏する。
【００１５】
即ち、請求項１に記載の発明においては、前記再運転手段により、遠隔操作による冷凍装置の再運転が可能となる。そして、温度管理条件の厳しい商材や、補償額の高い商材等の所定の貨物（商材）が搭載されているときは、冷凍システム系の異常を検出しても冷凍装置の運転が継続されるので、貨物の冷温保管状態を維持できる。
また、到着予定のコンテナターミナルから比較的近いところにおいて、冷凍システム系の異常が発生した場合には、前記コンテナターミナルに短時間で到着でき、該コンテナターミナルにおいてメンテナンスを行えることとなる。このため、このような場合には、冷凍装置の運転を停止させずに、冷凍装置の運転を継続することで、商材の庫内温度の管理を継続させることができる。そして、コンテナターミナルに到着する段階において、冷凍装置を停止し、即時、メンテナンスを行うことで、冷凍装置の重大な故障を回避できるようになる。
また、前記遠隔制御部においては、冷凍装置が休止中であっても、庫内温度のログデータを記録できることから、該休止中のログデータを品質保証の証拠として利用することができる。
【００１６】
また、請求項２に記載の発明においては、制御装置により自動的に判断させることによれば、遠隔監視センターにおける監視負担の軽減が図れるとともに、人為的な監視ミスといった不具合の発生も防止できる。
【００１７】
また、請求項３に記載の発明においては、再運転の後に、同一条件の異常によって冷凍装置が休止するのを防ぐことができ、冷凍装置の無用な運転休止を無くすことができる。
【発明を実施するための最良の形態】
【００１８】
一度休止させた冷凍装置を遠隔操作によって再起動させることができるとともに、休止中においても庫内温度を認識・記録できる技術を提案するという目的を、エンジン駆動の冷凍装置の運転を制御する運転制御部と、遠隔監視センターの遠隔監視装置との通信を行う遠隔制御部と、を具備する冷凍コンテナの制御装置であって、前記運転制御部は、冷凍システム系の異常時に、冷凍装置の運転を休止させる緊急停止手段を具備し、前記遠隔制御部は、休止中の冷凍装置の運転を再開させる再運転手段と、冷凍装置の休止中の庫内温度の認識手段と、冷凍装置の休止中の庫内温度ログデータの記録手段と、を具備する構成とすることで達成する。
【実施例１】
【００１９】
次に、本発明の実施の形態を、図面に基づいて説明する。
図１は本発明にかかる冷凍コンテナの制御装置を備える遠隔監視システムの構成について示す図、図２は冷凍コンテナの実施形態について示す図、図３は冷凍装置の実施形態について示す図、図４は制御装置に関する電源系統について示す図、図５は冷凍装置の再運転に関する制御フローを示す図、図６は緊急停止スイッチの動作について示す図、図７は制御装置による休止の判断のフローを示す図、図８は実施例３に関する制御フローについて示す図、図９は冷凍コンテナの遠隔監視システムの概要を示す図、図１０の（ａ）は特許文献３に関する構成について示す図、図１０の（ｂ）は従来の冷凍コンテナの冷凍装置の電源系統の形態について示す図である。
【００２０】
図１に示すごとく、冷凍コンテナ１の冷凍装置１０には制御装置２が設けられ、該制御装置２には送受信手段３が接続されている。
同様に、遠隔監視センター４の遠隔監視装置５には、送受信手段６が接続されている。
そして、前記送受信手段３・６を、公衆電話網７やインターネット８を介して接続することにより、前記制御装置２と遠隔監視装置５との間での通信を可能とし、遠隔監視センター４から遠く離れた位置にある冷凍コンテナ１を遠隔監視できるようにしている。
【００２１】
また、図２に示すごとく、冷凍装置１０は、例えば、冷凍コンテナ１の貨物室１１の進行方向の前側または後側（長手方向前側）に搭載されるものであり、該冷凍装置１０より貨物室１１内へ冷却風９が送り込まれるようになっている。
また、冷凍装置１０は、図３に示すごとく構成されるものであり、エンジン３１、発電機３２、エンジン排気管３３、燃料タンク３４、バッテリ３５、換気ファン３６、庫内温度等の設定装置３７、制御ボックス３８、アキュムレータ３９、モータ４０、コンプレッサ４１、庫外熱交換器４２、庫内熱交換器４３等を具備している。前記設定装置３７においては、庫内温度の設定のほか、冷凍装置１０の運転開始／休止の操作が行われるようになっている。
【００２２】
また、図１に示すごとく、前記制御ボックス３８内には制御装置２が設けられる。
図１において、２１は運転制御部である。該運転制御部２１は、エンジン駆動の冷凍装置１０の運転状態を制御するものである。
同じく、２２は遠隔制御部である。該遠隔制御部２２は、送受信手段３等を介して遠隔監視装置５と通信を行うものである。
以上のように、冷凍装置１０の制御装置２においては、これら運転制御部２１と、遠隔制御部２２と、送受信手段３を具備するものとしている。
【００２３】
また、図１に示すごとく、運転制御部２１は、運転制御部制御手段５１と、前記エンジン３１の起動／停止を制御するエンジン制御手段５２と、運転制御部２１への給電をＯＮ／ＯＦＦする緊急停止スイッチ２６（図４参照）を制御する緊急停止手段５３とを具備している。
【００２４】
また、図１に示すごとく、遠隔制御部２２は、運転制御部制御手段６１と、庫内温度や冷凍装置の運転状況のログデータを記録するデータ記録手段６２、冷凍コンテナ１の現在位置を測位する測位手段６３と、遠隔監視センターからの指示に基づいて、前記緊急停止スイッチ２６（図４参照）を遮断又は復帰操作する運転スイッチ操作部２３ｃとを具備している。尚、前記測位手段６３により、遠隔監視センター側での冷凍コンテナ１の現在位置が確認可能となっている。
【００２５】
また、図１に示すごとく、遠隔制御部２２は、運転を開始する条件の成立／不成立を判断する運転開始判断手段５４と、現地オペレータに対して発生される所定の警告を生成するための警告生成手段５５と、前記設定装置３７に表示させる設定画面の内容を生成する画面情報生成手段５６とを具備している。
【００２６】
また、図２に示すごとく、貨物室１１内には、第一温度センサ５９、第二温度センサ６９が設けられており、図１に示すごとく、第一温度センサ５９は運転制御部２１に、第二温度センサ６９は遠隔制御部２２に、それぞれ接続されている。
このようにして、第一温度センサ５９は、運転制御部２１における庫内温度の認識手段として機能し、第二温度センサ６９は、遠隔制御部２２における庫内温度の認識手段として機能するようになっている。
【００２７】
また、図１に示すごとく、運転制御部２１には、冷凍装置１０の冷凍サイクルを実行するための電子膨張弁１２、流量制御弁１３、圧力センサ１４、冷媒温度センサ１５が接続されている。これらの機器と、前記エンジン３１、発電機３２、コンプレッサ４１等により、冷凍装置１０の冷凍システム系が構成される。
また、運転制御部２１では、これらの接続機器を介して得られる情報から、冷凍システム系の異常発生の有無を認識するようにしている。例えば、該運転制御部２１は、電子膨張弁１２や流量制御弁１３の動作不良や、圧力センサ１４や冷媒温度センサ１５による圧力異常や温度異常を認識することにより、冷凍装置１０の冷凍システム系に生じた異常を発見するようにしている。
そして、運転制御部２１は、冷凍システム系の異常を認識すると、緊急停止スイッチ２６（図４参照）を遮断させるとともに、エンジン３１を停止させ、冷凍装置１０の運転を休止させるようにしている。
【００２８】
また、図４は、制御装置２に関する電源系統を示すものである。
図４において、２１は運転制御部、２２は遠隔制御部、３０は電源切替ユニット、３２は発電機、３５はバッテリである。
電源切替ユニット３０へは、発電機３２及びバッテリ３５からの給電が行われるようになっており、リレー４７が、エンジンが駆動される冷凍装置１０の運転中では発電機３２側へ、エンジンが停止される冷凍装置１０の休止中ではバッテリ３５側へ自動的に切り替わるようになっている。
尚、前記発電機３２に代えて、商用電力系統から給電が行われるようになっている。また、冷凍装置１０の運転中においては、バッテリ３５の充電が適宜行われるようになっている。
【００２９】
該電源切替ユニット３０の出力側には、電源経路４９が接続される。該電源経路４９は、接続点４８にて分岐経路４９Ａ・４９Ｂに分岐される。分岐経路４９Ａからは、運転制御部２１への給電が行われる。分岐経路４９Ｂからは、遠隔制御部２２への給電が行われる。また、電源経路４９は、電源切替ユニット３０を介してバッテリ３５に接続される。
【００３０】
前記分岐経路４９Ａにつき、運転制御部２１に到るまでの経路において、非常停止用スイッチ２３、運転開始スイッチ２４が配され、これらの操作は、オペレータの手動操作によって行われる。また、同じく、応急運転スイッチ２５が配され、該応急運転スイッチ２５は、前記遠隔制御部２２により操作される。また、同じく、緊急停止スイッチ２６が配され、該緊急停止スイッチ２６は、前記運転制御部２１によって操作される。
前記緊急停止スイッチ２６は、キープリレー機能を備え、該機能により、分岐経路４９Ａにおける緊急停止スイッチ２６への電流入口側の位置４９ａにて電圧が存在する限りにおいては、その切断状態が維持される一方、緊急停止スイッチ２６や、運転開始スイッチ２４、非常停止用スイッチ２３等の操作により、前記位置４９ａでの電圧がゼロになると、接続状態に戻されるようになっている。
【００３１】
前記分岐経路４９Ｂにつき、遠隔制御部２２に到るまでの経路において、遠隔制御部用電源スイッチ２７が配されている。該遠隔制御部用電源スイッチ２７は、遠隔制御部２２により遮断操作される。また、キープリレー機能を備え、該機能により、分岐経路４９Ｂにおける遠隔制御部用電源スイッチ２７への電流入口側の位置４９ｂにて電圧が存在する限りにおいては、その切断状態が維持される一方、非常停止用スイッチ２３等の操作により、前記位置４９ｂでの電圧がゼロになると、接続状態に戻されるようになっている。
また、前記遠隔制御部２２は、電源供給部２２ａ、電源スイッチ操作手段２２ｂ、応急運転スイッチ操作手段２２ｃを備えている。
【００３２】
前記遠隔制御部２２において、応急運転スイッチ操作手段２２ｃは、遠隔監視センターからの指示に基づいて、前記緊急停止スイッチ２６を遮断又は復帰操作するものである。
この応急運転スイッチ操作手段２２ｃからの信号により応急運転スイッチ２５が遮断されると、前記緊急停止スイッチ２６の位置４９ａにおける電圧がゼロとなるため、緊急停止スイッチ２６は遮断された状態を維持できず接続状態に復帰する。そして、応急運転スイッチ操作手段２２ｃからの信号により応急運転スイッチ２５が復帰されると、緊急停止スイッチ２６を介しての運転制御部２１への給電が再開されるようになっている。
このように、応急運転スイッチ操作手段２２ｃは、運転制御部２１への給電を再開させ、該運転制御部２１により冷凍装置１０の運転を再開させるものであり、冷凍装置１０の運転を再開させる再運転手段として機能するものである。
【００３３】
次に、本発明において特徴的な構成について説明する。
図１及び図４に示すごとく、本発明にかかる冷凍コンテナの制御装置は、エンジン駆動の冷凍装置１０の運転を制御する運転制御部２１と、遠隔監視センター４の遠隔監視装置５との通信を行う遠隔制御部２２と、を具備する。
そして、該冷凍コンテナの制御装置２は、前記運転制御部２１へ給電する第一の電源経路としての分岐経路４９Ａと、前記遠隔制御部２２へ給電する第二の電源経路としての分岐経路４９Ｂと、冷凍装置１０のバッテリ３５と接続され、前記第一・第二の電源経路と接続される第三の電源経路としての電源経路４９と、該第一の電源経路（分岐経路４９Ａ）上であって、前記第一・第三の電源経路の接続点４８よりも運転制御部側に配されるブレーカとしての緊急停止スイッチ２６と、を具備する。
また、前記運転制御部２１は、冷凍システム系の異常時に、前記緊急停止スイッチ２６を遮断して冷凍装置１０の運転を休止させる緊急停止手段５３を具備する。
また、前記遠隔制御部２２は、前記緊急停止スイッチ２６を復帰させることで、休止中の冷凍装置１０の運転を再開させる再運転手段としての応急運転スイッチ操作手段２２ｃと、冷凍装置１０の休止中の庫内温度の認識手段としての第二温度センサ６９と、冷凍装置１０の休止中の庫内温度ログデータの記録手段としてのデータ記録手段６２を具備している。
また、冷凍装置１０の電源回路は、上記制御装置の前記電源経路４９への給電につき、冷凍装置１０の運転中は発電機３２から給電が行われる一方、冷凍装置１０の休止中はバッテリ３５から給電が行われるべく構成されている。これにより、冷凍装置１０の休止中においては、電力消費量の少ない遠隔制御部２２に給電するためにエンジン３１が起動されることがなく、燃費効率の悪い低出力発電が行われないようにしている。
【００３４】
以上の構成においては、図５のフローチャートに示すごとく、運転制御部２１が冷凍システム系の異常を認識した場合には（ステップ５０１）、運転制御部２１は、緊急停止スイッチ２６を遮断するとともに（ステップ５０２）、エンジン３１・発電機３２を停止させ（ステップ５０３）、冷凍装置１０の運転を休止状態とする（ステップ５０４）。
尚，この休止状態においては、バッテリ３５により分岐経路４９Ｂを介して遠隔制御部２２への給電が確保される（図４参照）。
【００３５】
そして、遠隔監視センターでは、冷凍装置１０が緊急停止されたことの確認後（図５；ステップ５０５）、「冷凍装置１０を再運転させるべき」、と判断した場合には（ステップ５０６）、前記応急運転スイッチ操作手段２２ｃに信号を送信して緊急停止スイッチ２６を再接続させる（ステップ５０７）。これにより、前記運転制御部２１への再給電が行なわれ（ステップ５０８）、該運転制御部２１により冷凍装置１０が再運転されるものである（ステップ５０９）。
尚、「冷凍装置１０を再運転させるべき」と判断する場合としては、例えば、商材の品質保証に関する補償額が冷凍装置の修理コストよりも上回る場合や、コンテナターミナルに短時間で到着でき、該コンテナターミナルにてメンテナンスが行える場合等がある。
【００３６】
ここで、上記の緊急停止スイッチ２６の動作に関しては、図６に示すごとく、前記応急運転スイッチ操作手段２２ｃは、接続状態の応急運転スイッチ２５を一度遮断し（ステップ６０１）、これにより緊急停止スイッチ２６の位置４９ａにおける電圧をゼロとすることで（ステップ６０２）、キープリレー機能を具備する緊急停止スイッチ２６を再接続させる（ステップ６０３）。
そして、前記応急運転スイッチ操作手段２２ｃは、応急運転スイッチ２５を接続させることで（ステップ６０４）、緊急停止スイッチ２６を介しての運転制御部２１への給電を再開させる（ステップ６０５）。
このようにして給電が再開された運転制御部２１は、エンジン３１を再起動させ、冷凍装置１０を再運転させるものである（ステップ６０６）。
【００３７】
他方、図５のステップ５０６において、遠隔監視センター側で、「冷凍装置１０を再運転させるべきでない」、と判断された場合では、遠隔制御部２２においては、バッテリ３５からの給電により、庫内温度のデータ記録手段６２への記録を継続する（ステップ５１０）。このように、冷凍装置１０の休止中においてログデータを記録することにより、該ログデータを品質保証の証拠として利用することができる（ステップ５１１）。
尚、「冷凍装置１０を再運転させるべきでない」と判断する場合として、例えば、商材の品質保証に関する補償額が冷凍装置の修理コストよりも大幅に上回る場合や、コンテナターミナルに到着しメンテナンスが行えるまでに相当長い時間を要する場合、さらには、冷凍装置１０より出火する等の恐れのある重大な異常と確認される場合等がある。
【００３８】
以上のようにして、異常発生時には、遠隔監視センター側でのオペレータの判断により、一度休止した冷凍装置１０を再運転させることで、庫内温度を許容範囲内に収め、補償額等を考慮した上での最良の対応を実施することができる。
一方、異常発生時に休止した冷凍装置１０の休止状態を維持することによれば、冷凍装置１０の故障防止や修理コストを考慮した上での最良の対応を実施することができる。
【実施例２】
【００３９】
また、以上の冷凍装置１０の再運転の判断は、遠隔監視センターのオペレータによるものとするほか、冷凍装置１０の制御装置２に、予め所定の条件を設定しておき、該制御装置２によって自動的に判断させる形態としてもよい。
即ち、制御装置２に、冷凍システム系の異常を認識した場合でも運転を継続させることにより、該制御装置２によって自動的に再運転の判断をさせるものである。
【００４０】
より具体的には、図１に示すごとく、制御装置２の遠隔制御部２２は、再運転をする場合の運転条件の成否を判断する再運転判断手段７５を具備することとし、該再運転判断手段７５により、冷凍システム系の異常を認識した場合であっても、所定の庫内貨物情報が設定されているときは、一度休止させた冷凍装置１０の再運転を行うことにより、運転を継続させるようにする。
また、所定の庫内貨物情報の設定は、オペレータによる前記設定装置３７の操作により行われる。
また、ここにいう所定の庫内貨物情報とは、例えば、貨物（商材）の補償額、温度管理の重要度、到着コンテナターミナルなどである。
【００４１】
再運転判断手段７５では、図７に示すごとく、例えば、貨物（商材）の補償額と冷凍装置１０の修理コストの比較（ステップ７０１）、温度管理の重要度のランク判断（ステップ７０２）、到着コンテナターミナルに到着するまでの残り時間の長短の判断（ステップ７０３）などを行う。
そして、各判断において、補償額の方が大きい場合（ステップ７０１）、温度管理のランクの重要度が大きい場合（ステップ７０２）、残り時間が長い場合（ステップ７０３）においては、それぞれ、再運転をする場合の運転条件が成立したものと判断し、再運転の実行を決定する（ステップ７０５）。他方、その逆においては、冷凍装置１０の休止状態の維持を決定する（ステップ７０４）。
尚、各ステップにおける運転条件の成否の判断に関し、貨物（商材）に応じて、各運転条件に重み付けがなされるように構成してもよい。
【００４２】
以上のように制御装置２の遠隔制御部２２に設けられる再運転判断手段７５により、自動的に再運転をする場合の運転条件の成否を判断させることによれば、遠隔監視センターにおける監視負担の軽減が図れるとともに、人為的な監視ミスといった不具合の発生も防止できる。
【００４３】
尚、本実施例による制御を、「冷凍システム系の異常を認識した場合でも、所定の庫内貨物情報が設定されているときは、運転を継続する運転モード」として設定し、該設定をオペレータの任意により実行／解除可能に構成してもよい。
【実施例３】
【００４４】
また、以上に述べた冷凍装置１０の再運転につき、制御装置２においては、冷凍システム系の異常を認識した場合であっても、当該異常が、当該異常発生時点までに発生した異常と同一のものであるときは、運転を継続するように制御する形態としてもよい。
これは、例えば、電子膨張弁１２（図１参照）の故障により冷媒温度が通常の許容値よりも低下し、冷媒温度センサ１５の検出信号により、制御装置２が冷凍システム系の異常を認識し、これにより、冷凍装置１０が休止状態となったとする。そして、上述したごとく、オペレータ等の判断により、冷凍装置１０を再運転させたとする。この場合、制御装置２の設定が変更されないままであるとすると、再運転の後において、冷媒温度が前回休止時における温度と同温度まで低下した場合には、再び冷凍装置１０が休止してしまうことになる。このようなことでは、冷凍装置１０の休止と再運転を無用に繰り返してしまうことになる。
【００４５】
そこで、再運転の後に、同一の異常によって冷凍装置１０が再び休止するのを防ぐべく、図１に示すごとく、制御装置２の遠隔制御部２２は、運転を休止する場合の休止条件の成否を判断する休止判断手段７６を具備することとし、該休止判断手段７６により、冷凍システム系の異常を認識した場合であっても、当該異常が、当該異常発生時点までに発生した異常と同一のものであるときは、冷凍装置１０の運転を停止させることなく、運転を継続するように制御することとする。
【００４６】
図８に示すごとく、運転制御部２１にて冷凍システム系の異常が認識された場合には（ステップ８０１）、休止判断手段７６は、予め設定された運転を休止する場合の休止条件の成否の判断を行い（ステップ８０２）、休止条件が成立したと判断した場合には（ステップ８０３）、冷凍装置１０を休止する（ステップ８０４）。一方、休止条件が成立しないと判断した場合には、冷凍装置１０の運転は継続される（ステップ８０８）。
【００４７】
そして、冷凍装置１０が休止された場合においては、上述したごとくの再運転判断手段７５による再運転の可否判断（ステップ５０６・７０１〜７０３；図５、図７参照）が行われる。
ここで、再運転させるべき、と判断された場合には（ステップ８０５）、休止判断手段７６は、ステップ８０１で異常と判断されたものと同一の異常に関する休止条件については、以降において、条件の成否の判断をしないことを決定するとともに、その決定を保存し（ステップ８０６）、その後に再運転を実行する。
【００４８】
このステップ８０６により、制御装置２は、再度、同じ条件の異常を認識した場合でも、休止条件の成否の判断をしないため、同じ条件の異常が発生した場合における冷凍装置１０の休止を防ぐことができる。例えば、一度、冷媒温度の低下が原因で冷凍装置１０が休止し、再運転した後には、同程度の冷媒温度の低下では冷凍装置１０が休止されなくなるものである。
尚、予め設定された休止条件の閾値を更新することにより、冷凍装置１０の休止を防ぐ形態としてもよい。例えば、上述の冷媒温度の例においては、休止条件の成否の判断において、条件が成立したものと判断する冷媒温度の値をより低く設定・更新し、更新前の状態では休止するところを、同程度の冷媒温度の低下では休止されないようにすること等である。
また、この他、制御装置２の運転制御部２１において、冷凍システム系の異常を認識するために用いていた制御信号を、異常を認識するための信号から除外する構成としてもよい。
【００４９】
一方、再運転の可否判断（ステップ５０６・７０１〜７０３）において、再運転させないと判断した場合には（ステップ８０６）、冷凍装置１０の休止状態を維持することとし（ステップ８０７）、上述したごとく、遠隔制御部２２による庫内温度のログデータの記録を継続することとする（ステップ５０１）。そして、このログデータは、品質保証の証拠として利用することができるものである。
【００５０】
尚、本実施例による制御を、「冷凍システム系の異常を認識した場合でも、当該異常が、当該異常発生時点までに発生した異常と同一のものであるときは、運転を継続する運転モード」として設定し、該設定をオペレータの任意により実行／解除可能に構成してもよい。
【産業上の利用可能性】
【００５１】
本発明は、冷凍コンテナ一般に適用可能であり、貨物列車や貨物船舶等の輸送手段の形態については特に限定されるものではない。また、特に、品質保証に関する補償額が高額な貨物（商材）の輸送に適した制御形態として有効である。
【図面の簡単な説明】
【００５２】
【図１】本発明にかかる冷凍コンテナの制御装置を備える遠隔監視システムの構成について示す図である。
【図２】冷凍コンテナの実施形態について示す図である。
【図３】冷凍装置の実施形態について示す図である。
【図４】制御装置に関する電源系統について示す図である。
【図５】冷凍装置の再運転に関する制御フローを示す図である。
【図６】緊急停止スイッチの動作について示す図である。
【図７】制御装置による休止の判断のフローを示す図である。
【図８】実施例３に関する制御フローについて示す図である。
【図９】冷凍コンテナの遠隔監視システムの概要を示す図である。
【図１０】（ａ）は特許文献３に関する構成について示す図である。（ｂ）は従来の冷凍コンテナの冷凍装置の電源系統の形態について示す図である。
【符号の説明】
【００５３】
１      冷凍コンテナ
２      制御装置
３      通信手段
４      遠隔監視センター
５      遠隔監視装置
６      通信手段
７      公衆電話網
１０    冷凍装置
２１    運転制御部
２２    遠隔制御部
２２ｃ  応急運転スイッチ操作手段
２４    運転開始スイッチ
２５    応急運転スイッチ
２６    緊急停止スイッチ
３０    電源切替ユニット
５９    第一温度センサ
６９    第二温度センサ
７５    再運転判断手段
７６    休止判断手段
【図１】
2005172396.tif 000003
【図２】
2005172396.tif 000004
【図３】
2005172396.tif 000005
【図４】
2005172396.tif 000006
【図５】
2005172396.tif 000007
【図６】
2005172396.tif 000008
【図７】
2005172396.tif 000009
【図８】
2005172396.tif 000010
【図９】
2005172396.tif 000011
【図１０】
2005172396.tif 000012